(57)【要約】【課題】、伸縮装置がその周側面上に支持用腕部を備え、この支持用腕部を無段階で位置変更することができる支持具を提供する。【解決手段】多重筒体３と、この多重筒体３の中心軸上に配されて多重筒体３を構成する個々の筒体３ａ〜３ｃの供回りを防止しながら伸縮させる動力伝達軸５と、を備えたスクリュージャッキ構造からなる伸縮装置２と、筒体３ｃの外側面上にスライド可能に設けられ、支持対象物を直接又は間接的に支持する支持用腕部１３と、を備え、筒体３ｃは、最外の筒体３ａの中空部内に収容されない非収容領域Ｂを備えており、この非収容領域Ｂは、その周側面上に形成されるネジ部２２と、このネジ部２２に螺設される位置調整部１７と、非収容領域Ｂの外側面上に周設されて、位置調整部１７により非収容領域Ｂにおけるスライドが規制され、支持用腕部１３を直接又は間接的に支える環状部１６と、を備えている支持具１による。【選択図】図２
2020189739.tif 000002
【特許請求の範囲】
【請求項１】
複数の筒体を入れ子状に配してなる多重筒体と、この多重筒体の中心軸上に配されて個々の前記筒体の供回りを防止しながら前記多重筒体を伸縮させる動力伝達軸と、を備えたスクリュージャッキ構造からなる伸縮装置と、
この伸縮装置を構成する少なくとも１の前記筒体の外側面上にスライド可能に設けられ、支持対象物を直接又は間接的に支持する支持用腕部と、を備え、
前記支持用腕部を備えている前記筒体は、前記多重筒体を構成する最外の前記筒体の中空部内に収容されない非収容領域を備えており、
この非収容領域は、
その周側面上に形成されるネジ部と、
このネジ部に螺設される位置調整部と、
前記非収容領域の外側面上に周設されて、前記位置調整部により前記非収容領域におけるスライドが規制され、前記支持用腕部を直接又は間接的に支える環状部と、を備えていることを特徴とする支持具。
【請求項２】
前記伸縮装置は、
前記動力伝達軸に設けられるウォームホイールと、
このウォームホイールに噛合するウォームギアと、を備えていることを特徴とする請求項１に記載の支持具。
【請求項３】
前記伸縮装置は、その中心軸方向両端部のそれぞれにストッパーを備えていることを特徴とする請求項１又は請求項２に記載の支持具。
【請求項４】
請求項３に記載されている支持具において、
前記支持用腕部は、前記多重筒体を構成する前記筒体群のうち一番内側に配設されている前記筒体に少なくとも設けられており、
前記伸縮装置においてその中心軸方向にスライドするスライド端部に取設されている前記ストッパーを第１のストッパーとすると、この第１のストッパーは平板材を折曲してなる折曲板であり、
前記伸縮装置においてスライドしない固定端部に取設されている前記ストッパーを第２のストッパーとすると、この第２のストッパーは平板材を断面コ字状又はＵ字状に折曲してなる挟持板である、ことを特徴とするデッキプレート支持具。
【請求項５】
前記支持用腕部は、
デッキプレートを構成する角パイプの端部を直接又は間接的に支持する第１の支持用腕部と、
この第１の支持用腕部の真下に配されて、前記角パイプの下側に配される鋼製梁の端部を直接又は間接的に支持する第２の支持用腕部と、を備えていることを特徴とする請求項４に記載のデッキプレート支持具。
【請求項６】
前記第１及び第２のストッパーはともに、
前記平板材を貫通する貫通孔と、
この貫通孔に出没自在に螺設されるボルトと、を備えていることを特徴とする請求項４又は請求項５に記載のデッキプレート支持具。
【発明の詳細な説明】
【技術分野】
【０００１】
本発明は、汎用性を有する支持具に関し、特にＨ型鋼を構造材料とする建築物において、床や天井等にコンクリートスラブを形成するスラブ施工方法を実施する際に再利用可能なデッキプレートを支持するためのデッキプレート支持具に関する。
【背景技術】
【０００２】
鉄筋コンクリートや鉄骨鉄筋コンクリートを構造材料とする建築物の施工時に、コンクリートスラブを形成する際の型枠として、鋼製の板材を加工したデッキプレートを用いる場合がある。従来、デッキプレートは梁の上面に溶接やボルト締め等によって固定されていた。しかしながら、このような方法では、コンクリートの固化に伴って、デッキプレートがスラブに埋設されてしまう。このため、デッキプレートを回収することができなくなるという課題があった。
このような事情に鑑み本発明の出願人は過去に、再利用可能なデッキプレート、及び、このデッキプレートを着脱可能にＨ型鋼に支持しておくための支持具に関する発明をいくつか出願している。ここでは、その中でも本発明と最も関連性が高いと思われる先行技術（特許文献１）について説明する。
さらに、本発明に関連する技術分野の他の先行技術としては、例えば特許文献２に開示されるような技術が知られている。
【０００３】
特許文献１には「デッキプレート支持具とそれを用いたスラブ施工方法」という名称で、デッキプレートの再利用を可能にするデッキプレート支持具とそれを用いたスラブ施工方法に関する発明が開示されている。
特許文献１に開示される発明であるデッキプレート支持具は、同文献中に記載される符号をそのまま用いて説明すると、外周面に雄ネジ部３ａが設けられ、上端に上部受け金具２が取り付けられた支柱３と、下端に下部受け金具４が取り付けられ、上方から挿入された支柱３を回動自在に保持する筒状の脚部５と、支柱３へ回動可能に外挿される筒状の支持金具６と、支持金具６に設置される角材受け金具７及び補強金具８と、支持金具６と脚部５の間において支柱３の雄ネジ部３ａに螺合される上部ナット９及び下部ナット１０と、を備えることを特徴とするものである。
上記構成の特許文献１に開示される発明によれば、下部ナット１０を支柱３の周方向に回転させることで、支柱３と脚部５との螺合関係により、このデッキプレート支持具を支柱３の軸方向に所望に伸縮させることができる（特許文献１中の図１を参照）。
また、特許文献１に開示されるデッキプレート支持具によれば、支柱３に螺着される上部ナット９を支柱３の周方向に回転させることで、角材受け金具７ａの鉛直方向高さを所望に変更することができる（特許文献１中の図１を参照）。
よって、特許文献１に開示されるデッキプレート支持具によれば、支柱３の軸方向長さを所望に変更できるため、上側フランジ１３ａと下側フランジ１３ｂとの間の距離が異なる複数種類のＨ型鋼１３に、特許文献１に開示されるデッキプレート支持具を取設することができる。
また、特許文献１に開示されるデッキプレート支持具によれば、角材受け金具７ａの鉛直方向高さを所望に変更できるので、角材受け金具７ａにおいて間接的にデッキプレートを支持しながら安全にデッキプレートを鉛直方向に上下動させることができる（特許文献１中の図５を参照）。
よって、特許文献１に開示されるデッキプレート支持具によれば、デッキプレートを支持することができ、さらにデッキプレート支持具へのデッキプレートの着脱を簡便に行えるという利点がある。
【０００４】
また、特許文献２には「ジャッキ」という名称で、対象物を爪部に係止して昇降するジャッキに関する考案が開示されている。
特許文献２に開示される考案であるジャッキは、対象物を掛止する爪部を備えたジャッキであって、接地盤に固定されてなり、内部に駆動軸を螺合保持する内筒と、この内筒の外周面に沿って、駆動軸により上下動される外筒と、爪部を保持してなり、外筒に対して、摺動自在かつ任意の高さレベルで固定可能な取付部と、を有することを特徴とするものである。
上記構成の特許文献２に開示される考案によれば、ジャッキ自体の伸縮動作をラジェットハンドル又はモータ等を利用して行うことができる。このため、ジャッキの伸縮操作が極めて簡便である。
また、上記構成の特許文献２に開示される考案によれば、外筒に対する爪部の取付け位置を変更することができるので、利便性の高いジャッキを提供できるというメリットも有する。
【先行技術文献】
【特許文献】
【０００５】
【特許文献１】特許第６３０２４９８号公報
【特許文献２】実全昭６３−７１１９４号公報
【発明の概要】
【発明が解決しようとする課題】
【０００６】
特許文献１に示されるような再利用可能なデッキプレートを用いる場合は、Ｈ型鋼を構造材料とする建築物にコンクリート製の床面を形成する際に、Ｈ型鋼の随所に特許文献１に開示されるデッキプレート支持具を設置する必要がある（特許文献１中の図４（ｂ）を参照）。さらに、特許文献１に開示される技術の場合、デッキプレート支持具の角材受け金具により支持される角材上に、デッキプレートの扁平端を多数並設することになる（特許文献１中の図６（ａ）〜（ｃ）を参照）。
このように、特許文献１に開示されるデッキプレート支持具を用いる場合は、Ｈ型鋼にデッキプレート支持具を取設するに際に、その支柱の中心軸方向にデッキプレート支持具を伸縮させる必要があった（特許文献１中の図４を参照）。このため、使用する全てのデッキプレート支持具において下部ナットを支柱の周方向に連続的に回転し続ける必要があり、この作業が極めて煩雑であった（特許文献１中の図５を参照）。
【０００７】
また、特許文献２に開示される考案の場合は、ジャッキ自体の伸縮動作は極めて簡便である。
その一方で、特許文献２に開示される考案では、爪部の位置を変更する場合に、蝶ネジを外筒から一旦取り外す必要がある。この場合、爪部で支持対象物を別の支持部材で支えておかないと、支持対象物は支えを失って落下する。したがって、特許文献２に開示される考案をデッキプレート支持具として用いる場合は、特許文献２に開示される考案以外にデッキプレートを支持しておくための別の支持具が必要になるという課題があった。
【０００８】
本発明はかかる従来の事情に対処してなされたものであり、伸縮装置の周側面上に突設される支持用腕部の位置を無段階で位置変更することができる支持具を提供することにある。
さらに、本発明の他の目的は、伸縮装置の伸縮動作を容易に行うことができる支持具を提供することにある。
加えて、本発明の別の目的は、デッキプレートを構成する角パイプと、この角パイプを支持する鋼製梁を積層させて配置する際に、支持用腕部の位置調整を安全かつ容易に行えるデッキプレート支持具を提供することにある。
【課題を解決するための手段】
【０００９】
上記目的を達成するため第１の発明である支持具は、複数の筒体を入れ子状に配してなる多重筒体と、この多重筒体の中心軸上に配されて個々の筒体の供回りを防止しながら多重筒体を伸縮させる動力伝達軸と、を備えたスクリュージャッキ構造からなる伸縮装置と、この伸縮装置を構成する少なくとも１の筒体の外側面上にスライド可能に設けられ、支持対象物を直接又は間接的に支持する支持用腕部と、を備え、この支持用腕部を備えている筒体は、多重筒体を構成する最外の筒体の中空部内に収容されない非収容領域を備えており、この非収容領域は、その周側面上に形成されるネジ部と、このネジ部に螺設される位置調整部と、非収容領域の外側面上に周設されて、位置調整部により非収容領域におけるスライドが規制され、支持用腕部を直接又は間接的に支える環状部と、を備えていることを特徴とするものである。
上記構成の第１の発明において伸縮装置は、スクリュージャッキ構造を有していることで、その動力伝達軸を、伸縮装置と別体に設けられる例えばハンドル等を操作して回転させることで、多重筒体を構成する個々の筒体の供回りを防止しながら多重筒体をその中心軸方向に所望に伸縮させるという作用を有する。また、多重筒体を構成する任意の筒体に設けられる支持用腕部は、支持対象物を支持するという作用を有する。さらに、多重筒体を構成する任意の筒体に設けられる非収容領域は、その任意の筒体の周側面上において、支持用腕部の位置を無段階で調節可能にするという作用を有する。より具体的には、上記非収容領域の周側面上に形成されるネジ部は、ナット状の位置調整部の螺設を可能にするという作用を有する。そして、ネジ部に位置調整部が螺設されることで、ネジ部上の位置調整部を無段階で移動可能にするという作用を有する。さらに、環状具は、位置調整部の移動と連動して非収容領域上をスライドするという作用を有する。この時、環状具は位置調整部により常に支えられているので、ネジ部上における位置調整部の位置が変わっても支持用腕部が支えを失うことはない。
つまり、第１の発明によれば、位置調整部によって支持用腕部を直接又は間接的に備えた環状具を支えながら、この環状具を多重筒体の中心軸方向でかつネジ部が形成される範囲内をスライドさせるという作用を有する。
【００１０】
第２の発明である支持具は、上述の第１の発明において、伸縮装置は、動力伝達軸に設けられるウォームホイールと、このウォームホイールに噛合するウォームギアと、を備えていることを特徴とするものである。
上記構成の第２の発明は、上述の第１の発明と同じ作用を有する。加えて、第２の発明における伸縮装置がウォームホイールとウォームギアを備えていることから、ウォームギアを回転させることで間接的にウォームホイールを回転させることができる。そして、ウォームホイールの回転により動力伝達軸を回転させるという作用を有する。つまり、第２の発明によれば、動力伝達軸の回転方向とは異なる方向の回転力を利用して動力伝達軸を回転させるという作用を有する。
【００１１】
第３の発明である支持具は、上述の第１又は第２の発明において、伸縮装置は、その中心軸方向両端部のそれぞれにストッパーを備えていることを特徴とするものである。
上記構成の第３の発明は、上述の第１の発明又は第２の発明と同じ作用を有する。加えて、第３の発明においてストッパーは、任意の空隙に伸縮装置を架け渡して固定する際に、伸縮装置の中心軸方向両端部の位置ズレを防止するという作用を有する。
【００１２】
第４の発明であるデッキプレート支持具は、上述の第３の発明において、支持用腕部は、多重筒体を構成する筒体群のうち一番内側に配設されている筒体に少なくとも設けられており、伸縮装置においてその中心軸方向にスライドするスライド端部に取設されているストッパーを第１のストッパーとすると、この第１のストッパーは平板材を折曲してなる折曲板であり、伸縮装置においてスライドしない固定端部に取設されているストッパーを第２のストッパーとすると、この第２のストッパーは平板材を断面コ字状又はＵ字状に折曲してなる挟持板である、ことを特徴とするものである。
上記構成の第４の発明は、上述の第３の発明を特にデッキプレート支持具として用いる場合の具体的な形態を発明として特定したものである。このような第４の発明は、上述の第３の発明と同じ作用を有する。加えて、第４の発明における第１のストッパーが平板材を折曲してなる折曲板からなることで、Ｈ型鋼における凹状の空隙に伸縮装置を配置して伸長させた際に、Ｈ型鋼の上フランジに第１のストッパーを掛止して伸縮装置のスライド端部を固定するという作用を有する。
また、第４の発明における第２のストッパーは、同じくＨ型鋼における凹状の空隙に伸縮装置を架け渡した状態で固定する際に、Ｈ型鋼の下フランジの肉厚部分を挟持するという作用を有する。そして、第４の発明が伸縮装置の固定端部に挟持板（第２のストッパー）を備えていることで、Ｈ型鋼における凹状の空隙に伸縮装置を自立させるという作用を有する。
【００１３】
第５の発明であるデッキプレート支持具は、上述の第４の発明において、支持用腕部は、デッキプレートを構成する角パイプの端部を直接又は間接的に支持する第１の支持用腕部と、この第１の支持用腕部の真下に配されて、上記角パイプの下側に配される鋼製梁の端部を直接又は間接的に支持する第２の支持用腕部と、を備えていることを特徴とするものである。
上記構成の第５の発明は、上述の第４の発明と同じ作用を有する。加えて、第５の発明は、デッキプレートを構成する角パイプとその鉛直下方側に配される鋼製梁とを交差させながら、あるいは、これらを互いに平行に配しながら、かつ積層させて配置する場合に、第１の支持用腕部において、上層側に配される角パイプの端部を直接又は間接的に（例えば角材等を介して）支持するという作用を有する。また、これと同時に、第２の支持用腕部は、下層側に配される鋼製梁の端部を直接又は間接的に支持するという作用を有する。
【００１４】
第６の発明であるデッキプレート支持具は、上述の第４又は第５の発明において、第１及び第２のストッパーはともに、平板材を貫通する貫通孔と、この貫通孔に出没自在に螺設されるボルトと、を備えていることを特徴とするものである。
上記構成の第６の発明は、上述の第４又は第５の発明と同じ作用を有する。加えて、第５の発明において第１及び第２のストッパーに出没自在に設けられるボルトは、Ｈ型鋼の上フランジ及び下フランジをボルトの先端で押圧することで、Ｈ型鋼に伸縮装置をしっかりと固定するという作用を有する。
【発明の効果】
【００１５】
上述のような第１の発明によれば、スクリュージャッキ構造からなる伸縮装置における任意の筒体の周側面上に、支持用腕部を伸縮装置の中心軸方向に無段階で位置調整可能にしながら取設することができる。
さらに、第１の発明によれば、支持用腕部を、伸縮装置を構成する筒体の周側面上をスライドさせる際に、支持用腕部に作用する荷重を常に位置調整部により支えることができる。
したがって、第１の発明によれば、伸縮装置を伸縮させることにより、筒体の中心軸方向に支持用腕部を移動させることができる。さらに、第１の発明によれば、この支持用腕部が設けられている任意の筒体の中心軸方向における支持用腕部の位置を無段階で調整することができる。
加えて、第１の発明では、支持用腕部の位置を無段階で調整する最中も、支持用腕部に作用する荷重を位置調整部により支え続けることができる。このため、支持用腕部の位置を無段階で調整する際に、支持用腕部で支持している支持対象物が支えを失って落下することはない。
つまり、上述のような第１の発明によれば、支持用腕部の位置を調整する際に、支持対象物を別の支持具で支えておく必要がない。
したがって、第１の発明によれば、建築資材等を仮固定しておく際に、安全で使い勝手が良い支持具を提供することができる。
【００１６】
第２の発明によれば、上述の第１の発明による効果と同じ効果を有する。さらに、第２の発明がウォームホイール及びウォームギアを備えていることで、動力伝達軸の回転方向と異なる方向への回転力、すなわち別体のハンドルや、別体の電動の回転装置等を利用して容易に伸縮装置を伸縮させることができる。
よって、第２の発明によれば、上述の第１の発明と比較して、操作性に優れた支持具を提供することができる。
【００１７】
第３の発明によれば、上述の第１又は第２の発明による効果と同じ効果を有する。さらに、第３の発明が伸縮装置の中心軸方向両端部のそれぞれにストッパーを備えていることで、何らかの空隙に伸縮装置を架け渡すようして固定する際に、架設された伸縮装置の安定性を高めることができる。
したがって、第３の発明によれば、その使用時に空隙から伸縮装置が意図せず外れてしまうのを防止できる。よって、第３の発明によれば、上述の第１又は第２の発明と比較して安定性が優れた支持具を提供することができる。
【００１８】
第４の発明は、上述の第３の発明による効果と同じ効果を有する。さらに、第４の発明の伸縮装置が平板材を折曲してなる挟持板（第２のストッパー）を備えていることで、Ｈ型鋼に形成される凹状の空隙に伸縮装置を架け渡した状態で固定する際に、空隙内に伸長前の伸縮装置を自立させておくことができる。さらに、第４の発明が、挟持板（第２のストッパー）に加えて、折曲板（第１のストッパー）を備えていることで、伸縮装置のスライド端部が空隙の際に到達した際に、Ｈ型鋼の上フランジの立体形状に折曲板をフィットさせて、伸縮装置の固定作業を完了することができる。
したがって、第４の発明によれば、Ｈ型鋼に形成される凹状の空隙に容易に伸縮装置を着脱させることができるデッキプレート支持具を提供することができる。
【００１９】
第５の発明は、上述の第４の発明による効果と同じ効果を有する。さらに、第５の発明における支持用腕部が、第１の支持用腕部と第２の支持用腕部の２種類を備えていることで、１種類の支持用腕部のみを備えてその取設位置を変更して用いる場合に比べて、デッキプレートの設置作業を簡素化することができる。
よって、第５の発明によれば、再利用可能なデッキプレートを用いて床面を形成する際の、デッキプレートの設置作業を効率的に行うことができる。
また、第５の発明によれば、支持用腕部が、第１の支持用腕部と第２の支持用腕部の２種類を備えていることで、１つのデッキプレート支持具により角パイプの端部と鋼製梁の端部の両者を同時に支持することができる。
この場合、デッキプレートを構成する角パイプの配設方向に関わらず、角パイプを常に鋼製梁により支えることができる。さらに、この場合、角パイプを支持する鋼製梁の端部を、Ｈ型鋼に取設されるデッキプレート支持具により支持することができるという効果も有する。
よって、第５の発明によれば、デッキプレートとそれを支える鋼製梁を安全に支持しておくことができるデッキプレート支持具を提供することができる。
【００２０】
第６の発明は、上述の第４又は第５の発明による効果と同じ効果を有する。さらに、第６の発明は、伸縮装置が伸長した際の押圧力によりＨ型鋼における凹状の空隙に伸縮装置を固定することができ、さらに第１及び第２のストッパーに設けられているボルトによって一層強固にＨ型鋼に伸縮装置を固定することができる。
よって、第６の発明によれば、伸縮装置が意図せずＨ型鋼から外れてしまうのを一層確実に防止することができる。
この場合、第６の発明によりデッキプレートを支持している最中に、Ｈ型鋼からデッキプレート支持具が外れてデッキプレートが落下してしまうのを防止できる。
したがって、第６の発明によれば、第１及び第２のストッパーが固定用のボルトを備えてない場合に比べて、一層安全性及び操作性に優れたデッキプレート支持具を提供することができる。
【図面の簡単な説明】
【００２１】
【図１】本発明の実施形態に係るデッキプレート支持具の斜視図である。
【図２】（ａ）本発明の実施形態に係るデッキプレート支持具の鉛直方向断面イメージ図であり、（ｂ）同デッキプレート支持具の伸長途中の状態を示す鉛直方向断面イメージ図であり、（ｂ）同デッキプレート支持具が伸長した状態を示す鉛直方向断面イメージ図である。
【図３】本発明の実施形態に係るデッキプレート支持具をＨ型鋼に設置した状態を示す斜視図である。
【図４】本発明の実施形態に係るデッキプレート支持具をＨ型鋼に設置した状態を示す斜視図である。
【図５】本発明の実施形態に係るデッキプレート支持具における伸縮装置の固定端部側を分解して示す斜視図である。
【図６】本発明の実施形態に係るデッキプレート支持具におけるウォームホイールとウォームギアの連関を示す平面図である。
【図７】本発明の実施形態に係るデッキプレート支持具における第２の筒体及び第３の筒体を分解して示す斜視図である。
【図８】（ａ）本発明の実施形態に係る第３の筒体の斜視図であり、（ｂ）同第３の筒体の内部を透視可能にして示した側面図である。
【図９】本発明の実施形態に係る第２の筒体と第３の筒体の動作時の連関を示す斜視図である。
【図１０】（ａ）本発明の実施形態に係るデッキプレート支持具における支持用腕部とそれに付属する構成の斜視図であり、（ｂ）同支持用腕部とそれに付属する構成を分解して示す斜視図である。
【図１１】本発明の実施形態に係るデッキプレート支持具によりデッキプレートを構成する角パイプとその下側に配される鋼製梁を支持する様子を示す断面のイメージ図である。
【図１２】本発明の実施形態に係るデッキプレート支持具によりデッキプレートを構成する角パイプとその下側に配される鋼製梁を支持する様子を示す斜視図である。
【図１３】本発明の実施形態の変形例に係る支持具の断面イメージ図である。
【発明を実施するための形態】
【００２２】
本発明の実施形態に係る支持具及びデッキプレート支持具について図１乃至１３を参照しながら詳細に説明する。
【００２３】
はじめに、本発明の実施形態に係るデッキプレート支持具１の概要について図１及び図２を参照しながら説明する。
図１は本発明の実施形態に係るデッキプレート支持具の斜視図である。また、図２（ａ）は本発明の実施形態に係るデッキプレート支持具の鉛直方向断面イメージ図であり、（ｂ）同デッキプレート支持具の伸長途中の状態を示す鉛直方向断面イメージ図であり、（ｂ）は同デッキプレート支持具が伸長した状態を示す鉛直方向断面イメージ図である。
図１及び図２（ａ）に示すように、本実施形態に係るデッキプレート支持具１は主に、スクリュージャッキ構造からなる伸縮装置２と、この伸縮装置２を構成する多重筒体３（第１の筒体３ａ〜第１の筒体３ｃ）のうちの少なくともいずれか（本実施形態においては第３の筒体３ｃ）の外側面上にスライド可能に設けられ、支持対象物である、例えばデッキプレート等を直接又は間接的に支持する支持用腕部１３と、を備えてなるものである。
また、上述の伸縮装置２において多重筒体３は、図２（ａ）に示すように、複数の筒体（第１の筒体３ａ〜第３の筒体３ｃ）が入れ子状に配されてなるものである。さらに、伸縮装置２では、このような多重筒体３の中心軸上に動力伝達軸５を備えている。なお、多重筒体３と動力伝達軸５の連関及びこれらの動作の仕組みについては後段において説明する。
【００２４】
さらに、本実施形態に係るデッキプレート支持具１では、支持用腕部１３が設けられている例えば第３の筒体３ｃは、多重筒体３の中空部内に収容されない非収容領域Ｂである筒体３ｃ３及び筒体３ｃ４を備えている（図２（ａ）を参照）。
また、この非収容領域Ｂを備える筒体３ｃ３は、その外側面上にネジ部２２を備えており、このネジ部２２にリング状の位置調整部１７が螺設されている。
加えて、上記非収容領域Ｂ（図２（ａ）を参照）は位置調整部１７の鉛直上方側で、かつこの非収容領域Ｂの周側面上に、ネジの嵌合に拠らずにスライドする環状部１６を備えている。そして、この環状部１６に支持用腕部１３が直接、又は、例えば図１，２に示すように支持用腕部保持部１５を介して間接的に固定されている。
【００２５】
したがって、本実施形態に係るデッキプレート支持具１では、位置調整部１７をその周方向に回転させることで、ネジ部２２上において位置調整部１７が第３の筒体３ｃの中心軸方向に無段階で上下動する。また、支持用腕部保持部１５が接続されている環状部１６は、位置調整部１７の鉛直上方側端部に、一体に連結されることなく接触しながら載置されている。このため、位置調整部１７が無段階で筒体３ｃ３の中心軸方向に移動することで、環状部１６及び支持用腕部保持部１５も無段階で筒体３ｃ３の中心軸方向にスライドする。
したがって、本実施形態に係るデッキプレート支持具１では、多重筒体３を構成する任意の筒体（ここでは、第３の筒体３ｃ）の周側面上において、支持用腕部１３を多重筒体３の中心軸方向に無段階でスライドさせることができる。
【００２６】
さらに、上述のような本実施形態に係るデッキプレート支持具１の伸縮装置２は、図２（ｂ），（ｃ）に示すようにスクリュージャッキ構造を有しているため、動力伝達軸５をその中心軸を基軸に正逆回転させることで、多重筒体３をその中心軸方向に伸縮させることができる。
より具体的には、本実施形態に係る伸縮装置２が縮んで最も短くなった状態を示しているのが図２（ａ）であり、また、本実施形態に係る伸縮装置２が最も伸びた状態を示しているものが図２（ｃ）である。
したがって、本実施形態に係るデッキプレート支持具１によれば、伸縮装置２の伸縮機構としてスクリュージャッキ構造を採用することで、伸縮装置２における最短時と最長時の差を大きくすることができる。
【００２７】
従来、多重筒体及び動力伝達軸を備えるスクリュージャッキ構造では、多重筒体を構成する個々の筒体が入れ子状に収容されるとともに、このような多重筒体の中空部内に動力伝達軸が常時格納される。このため、伸縮装置として上述のようなスクリュージャッキ構造を採用する場合は、特許文献１に開示される発明のように、動力伝達軸に角材受け金具（本発明における支持用腕部１３に相当）を無段階でスライド可能に取設することができなかった。したがって、当然に特許文献１，２を参照しても、スクリュージャッキ構造を備えてなる伸縮装置における多重筒体の中心軸方向に、支持用腕部１３を無段階で移動可能に取設することはできなかった。
これに対して、本実施形態に係るデッキプレート支持具１によれば、伸縮装置２を構成する多重筒体３の任意の筒体（第１の筒体３ａ〜第３の３ｃ）が、最外の筒第１の体３ａの中空部内に収容されない非収容領域Ｂを備え、さらにこの非収容領域Ｂの外側面上に位置調整部１７を螺着して、この位置調整部１７を無段階で移動させることで、支持用腕部１３を支持している環状部１６も無段階で移動させることができる。
よって、本実施形態に係るデッキプレート支持具１によれば、スクリュージャッキ構造を有する伸縮装置２における多重筒体３の周側面上に、支持用腕部１３を多重筒体３の中心軸方向に無段階で移動させることができる新規な支持具を提供することができる。
【００２８】
図３，４はいずれも本発明の実施の形態に係るデッキプレート支持具をＨ型鋼に設置した状態を示す斜視図である。なお、図１，２に記載されたものと同一部分については同一符号を付し、その構成についての説明は省略する。
本実施形態に係るデッキプレート支持具１は、伸縮装置２が多重筒体３を備えるスクリュージャッキ構造を有していることで、図３，４に示すように、上フランジ１９ａから下フランジ１９ｂまでの高さが様々なＨ型鋼１９における凹状の空隙１９ｃに、伸縮装置２を架け渡した状態で固定することができる。つまり、本実施形態に係るデッキプレート支持具１によれば、その取付け対象であるＨ型鋼１９の空隙１９ｃの広狭に対する汎用性が高いデッキプレート支持具を提供することができる。
【００２９】
また、本実施形態に係るデッキプレート支持具１では、伸縮装置２がスクリュージャッキ構造を有していることで、先の特許文献１に示される発明のように、伸縮装置２を伸縮させるにあたり、ネジ棒状の支柱に螺設されるナット状の環状具を手で回転し続けるという作業を行う必要がない。すなわち、本実施形態に係るデッキプレート支持具１では、動力伝達軸５に直接又は間接的にハンドルや、電動式の回転装置を接続することで容易に動力伝達軸５をその中心軸を基軸に回転させることができる。
よって、本実施形態に係るデッキプレート支持具１によれば、その取付け対象であるＨ型鋼１９への着脱作業が容易なデッキプレート支持具を提供することができる。
【００３０】
さらに、本実施形態に係るデッキプレート支持具１によれば、伸縮装置２における支持用腕部１３の取付け位置を無段階で変更する際も、支持用腕部１３に作用する荷重を位置調整部１７により間断なく支えることができる。
よって、本実施形態に係るデッキプレート支持具１によれば、支持用腕部１３で支持されるデッキプレートの鉛直方向位置の調整や、支持用腕部１３へのデッキプレートの着脱作業を安全かつ容易に行うことができる。
【００３１】
なお、本実施形態に係るデッキプレート支持具１は、先の図１乃至図４に示すように、伸縮装置２のスライド端部２ａに第１のストッパー８ａを、また、固定端部２ｂに第２のストッパー８ｂをそれぞれ備えていてもよい（任意選択構成要素）。
この場合、例えば本実施形態に係るデッキプレート支持具１を、先の図３，４に示すように、Ｈ型鋼１９の上フランジ１９ａと下フランジ１９ｂの間に形成される凹状の空隙１９ｃに架け渡すように配して固定する場合に、伸縮装置２の固定時の両端部の安定性を高めることができる。
【００３２】
続いて、図５乃至図１２を参照しながら本実施形態に係るデッキプレート支持具１の細部構造及びそれらによる作用効果について説明する。
はじめに、本実施形態に係るデッキプレート支持具１における動力伝達軸５及びその周辺構造について図５，６を参照しながら説明する。
図５は本発明の実施形態に係るデッキプレート支持具における伸縮装置の基部側端部を分解して示す斜視図である。また、図６は本発明の実施形態に係るデッキプレート支持具におけるウォームホイールとウォームギアの連関を示す平面図である。なお、図１乃至図４に記載されたものと同一部分については同一符号を付し、その構成についての説明は省略する。
本実施形態に係るデッキプレート支持具１の伸縮装置２は、図５に示すように、動力伝達軸５の下端に一体に設けられるウォームホイール５ａと、このウォームホイール５ａに嵌合しながら設けられるウォームギア７を備えている。
【００３３】
また、第２のストッパー８ｂは、その上面にウォームホイール５ａを収容するためのケーシング６ａと、ウォームギア７を収容するためのケーシング６ｂ１とを備えており、ケーシング６ａの中空部とケーシング６ｂ１の中空部は連通している。このため、ケーシング６ａ、ケーシング６ｂ１のそれぞれにウォームホイール５ａ、ウォームギア７を収容すると、その中空部の連通部分においてウォームホイール５ａとウォームギア７が噛合した状態になる（図６を参照）。
そして、ウォームギア７をその中心軸を基軸に回動させると、ウォームホイール５ａがその中心軸を基軸に回転し、これにより動力伝達軸５がその中心軸方向に回動する（図６を参照）。
【００３４】
なお、ケーシング６ａ内に収容されるウォームホイール５ａは、図５に示す軸保定パーツ５ｂによりケーシング６ａ内に保定されている。また、ウォームホイール５ａに連結される動力伝達軸５は、ケーシング６ａの開口上端にフランジ４を介して接続される第１の筒体３ａ内に収容される（図２，５を参照）。また、ケーシング６ａとフランジ４は、その重なり部分にピン２３が挿設されることで一体化されている。
さらに、ケーシング６ｂ１内に収容されるウォームギア７は、軸保定パーツ７ａにより保定されるとともに、ケーシング６ｂ１の開口部は蓋体６ｂ２により封止されている。
また、ウォームギア７のネジ部が形成されない側の端部は、接続部７ｂを備えている。そして、この接続部７ｂに図示しないハンドルや、例えば電力で駆動する回転装置等を接続することで、ウォームギア７を容易に回転操作することができる。
【００３５】
上述のように本実施形態に係るデッキプレート支持具１の伸縮装置２が、ウォームホイール５ａ及びウォームギア７を備えていることで、動力伝達軸５の回転を、伸縮装置２に対する直接的な操作ではなく、ハンドルや、電力等で駆動する回転装置等を用いた間接的な操作により行うことができる。
よって、本実施形態に係るデッキプレート支持具１によれば、取付け対象（例えば、Ｈ型鋼１９等）への伸縮装置２の着脱作業を簡便化することができる。したがって、本実施形態に係るデッキプレート支持具１によれば、操作性が優れたデッキプレート支持具を提供することができる。
【００３６】
次に、図２、図７乃至図９を参照しながら本実施形態に係るデッキプレート支持具１に係る多重筒体３について説明する。
図７は本発明の実施形態に係るデッキプレート支持具における第２の筒体及び第３の筒体を分解して示す斜視図である。また、図８（ａ）は本発明の実施形態に係る第３の筒体の斜視図であり、（ｂ）は同第３の筒体の内部を透視可能にして示した側面図である。さらに、図９（ａ），（ｂ）は本発明の実施形態に係る第２の筒体と第３の筒体の動作時の連関を示す斜視図である。なお、図１乃至図６に記載されたものと同一部分については同一符号を付し、その構成についての説明は省略する。
先の図２に示すように、本実施形態に係るデッキプレート支持具１に係る多重筒体３は、最外に位置し角筒状をなす第１の筒体３ａ（図５を参照）と、この第１の筒体３ａ内に収容されて角筒状をなす第２の筒体３ｂと、この第２の筒体３ｂ内にその一部が収容される第３の筒体３ｃにより構成されている。
より詳細には、本実施形態に係る多重筒体３では、第１の筒体３ａとケーシング６ａからなる連結体が、多重筒体３の最外の筒体をなしている。よって、本実施形態に係るデッキプレート支持具１では、ケーシング６ａの下端を伸縮装置２の固定端部２ｂとしている。なお、第１の筒体３ａとケーシング６ａが一体ものの筒体として形成される場合は、この筒体が多重筒体３の最外の筒体となる。
【００３７】
また、図７，８に示すように、本実施形態に係る多重筒体３を構成する第３の筒体３ｃは、その内側面にネジ部２５を備えた角筒状の筒体３ｃ１と、シンプルな角筒状の筒体３ｃ２と、外側面にネジ部２２を備えた円筒状の筒体３ｃ３と、シンプルな角筒状の筒体３ｃ４とが、鉛直下方側からこの順序で直列状に連結されてなるものである。
そして、上述のような第３の筒体３ｃにおける筒体３ｃ１のネジ部２５と、先の図５に示す動力伝達軸５の外側面上に形成されているネジ部５ｃとが螺合している。
また、本実施形態に係る伸縮装置２では、図５，７，８に示すように、本実施形態に係る多重筒体３を構成する第１の筒体３ａ、第２の筒体３ｂ、及び、第３の筒体３ｃにおける筒体３ｃ１及び筒体３ｃ２が全て角筒状をなすとともに、多重筒体３の最外に位置している第１の筒体３ａが、ケーシング６ａにピン２３により固定されている。このため、動力伝達軸５をその中心軸を基軸に回転させた際に、この動力伝達軸５のネジ部５ｃと螺合している筒体３ｃ１は、動力伝達軸５とともに共回りすることなく動力伝達軸５の中心軸方向に移動する。
よって、本実施形態に係る伸縮装置２では、ウォームギア７を正逆回転させることにより動力伝達軸５がその中心軸を基軸に正逆回転し、この動作に伴って動力伝達軸５の外側面上を第３の筒体３ｃがその中心軸方向に上下動する。この結果、伸縮装置２がその中心軸方向に伸縮する。
【００３８】
さらに、図７，８に示すように、第３の筒体３ｃを構成する筒体３ｃ１は、その外側面における鉛直下方側端部に突起２４ａを備えている。また、第２の筒体３ｂは、その内側面の鉛直上方端部に掛止用ツメ２４ｂを備えている。そして、本実施形態に係る多重筒体３では、第３の筒体３ｃにおける筒体３ｃ１に設けられる突起２４ａと、第２の筒体３ｂに設けられる掛止用ツメ２４ｂとが掛止構造を形成することで、第２の筒体３ｂと第３の筒体３ｃがこの掛止構造を介して直列状に一体化する。
なお、第２の筒体３ｂと第３の筒体３ｃを直列状に連結して多重筒体３を最大限伸ばした状態を示したものが図２（ｃ）及び図９（ａ）である。また、突起２４ａと掛止用ツメ２４ｂの掛止構造を解除して、第２の筒体３ｂの中空部内に、第３の筒体３ｃを構成する筒体３ｃ１及び筒体３ｃ２を収容して、多重筒体３を最も短くした状態を示しているのが図２（ａ）及び図９（ｂ）である。
よって、本実施形態に係る伸縮装置２では、第２の筒体３ｂと第３の筒体３ｃの接続部に、突起２４ａ及び掛止用ツメ２４ｂを備えていることで、筒体３ｃ１が動力伝達軸５の中心軸方向にスライドする際に、筒体３ｃ１（第３の筒体３ｃ）により第２の筒体３ｂを鉛直上方側に引き上げる、あるいは鉛直下方側に第２の筒体３ｂを下げ降ろすことができる（図２（ａ）〜（ｃ）を参照）。
【００３９】
そして、本実施形態に係る第３の筒体３ｃは、第１の筒体３ａ内に第２の筒体３ｂ及び第３の筒体３ｃの一部を収容して最大限縮めた場合でも、第１の筒体３ａ内に収容されない非収容領域Ｂ（図７〜図９を参照）を備えている。より具体的には、この非収容領域Ｂは、ネジ部２２を備える筒体３ｃ３と、この筒体３ｃ３に一体に固設される筒体３ｃ４により構成されている（図７〜図９を参照）。
また、筒体３ｃ３のネジ部２２には、ナット状の位置調整部１７が螺着されている。そして、ネジ部２２上において位置調整部１７をその中心軸を基軸に回転させることで、ネジ部２２上における位置調整部１７の位置を無段階で変更することができる。
【００４０】
また、位置調整部１７は、図７，９に示すように、その外側面上に突設される少なくとも１以上の操作レバー１８を備えていてもよい（任意選択構成要素）。
この場合、位置調整部１７をその周方向に回転させる動作を容易に行うことができる。これにより、本実施形態に係るデッキプレート支持具１の操作性を向上させることができる。
なお、位置調整部１７における操作レバー１８は必ずしも必要ではなく、操作レバー１８を備える代わりに、位置調整部１７の外側面上に凹凸を形成するなどして、その回転操作時の滑りを防止してもよい。この場合も位置調整部１７を人の手指により容易に操作することができる。
また、本実施の形態においては、第３の筒体３ｃの上端が、伸縮装置２におけるスライド端部２ａをなしている。したがって、第３の筒体３ｃの上端に第１のストッパー８ａを備えている。
【００４１】
続いて、本実施形態に係る図２，図１０乃至図１２を参照しながら、本実施形態に係るデッキプレート支持具１の支持用腕部１３とそれに付属する構成について説明する。
図１０（ａ）は本発明の実施形態に係るデッキプレート支持具における支持用腕部とそれに付属する構成の斜視図であり、（ｂ）は同支持用腕部とそれに付属する構成を分解して示す斜視図である。また、図１１は本発明の実施形態に係るデッキプレート支持具によりデッキプレートを構成する角パイプとその下側に配される鋼製梁を支持する様子を示す断面のイメージ図である。さらに、図１２は本発明の実施形態に係るデッキプレート支持具によりデッキプレートを構成する角パイプとその下側に配される鋼製梁を支持する様子を示す斜視図である。なお、図１乃至図９に記載されたものと同一部分については同一符号を付し、その構成についての説明は省略する。
本実施形態に係るデッキプレート支持具１は、図１０（ａ），（ｂ）に示すように、伸縮装置２の外側面側に配される支持対象物を支持するための支持用腕部１３を備えている。また、この支持用腕部１３は、例えば水平方向に配される平板体からなっている。より具体的には、この支持用腕部１３は、例えば角筒状の支持用腕部保持部１５に固設されるとともに、この支持用腕部保持部１５の下端部に中空管状の環状部１６が固設されていてもよい（任意選択構成要素）。
この場合、本実施形態に係るデッキプレート支持具１において、支持用腕部保持部１５の中空部と、環状部１６の中空部は連通している。
【００４２】
そして、図２に示すように、本実施形態に係るデッキプレート支持具１では、支持用腕部保持部１５と環状部１６との連通孔に、第３の筒体３ｃが挿通されている。この時、環状部１６の下端側には位置調整部１７が、環状部１６とは別体として配されている。この場合、第３の筒体３ｃに螺着される位置調整部１７は、支持用腕部保持部１５及び環状部１６が第３の筒体３ｃの外側面上をスライドして落下するのを妨げるストッパーとして機能する。この結果、第３の筒体３ｃの外側面上に支持用腕部１３及びそれに付属する構成（支持用腕部保持部１５及び環状部１６）を保持しておくことができる。
また、本実施形態に係るデッキプレート支持具１では、先にも述べた通り、位置調整部１７がネジ部２２上を移動することで間接的に、環状部１６が第３の筒体３の周側面上を移動する。つまり、ネジ部２２において位置調整部１７を移動させることで、第３の筒体３ｃの中心軸方向に支持用腕部１３を移動させることができる。
この時、支持用腕部１３に作用する荷重は、支持用腕部保持部１５及び環状部１６を介して位置調整部１７により常時に支えられている。
このため、本実施形態に係るデッキプレート支持具１では、支持用腕部１３において支持対象物（例えば、デッキプレートを構成する角パイプや、この角パイプを支持する鋼製梁等）を支持したまま位置調整部１７を移動させても、支持対象物が支えを失って落下することはない。
よって、本実施形態に係るデッキプレート支持具１によれば、支持用腕部１３において支持される支持対象物の保持位置を、伸縮装置２の中心軸方向に安全かつ無段階で容易に変更（微調整）することができるデッキプレート支持具を提供することができる。
なお、本実施形態に係るデッキプレート支持具１では、支持用腕部保持部１５と環状部１６を別体の構成とする場合を例に挙げて説明しているが、これらは一体に構成してもよい（任意選択構成要素）。この場合も、位置調整部１７のスライドに連動して支持用腕部１３を移動させることができるという効果を発揮させることができる。
【００４３】
本実施形態に係るデッキプレート支持具１における支持用腕部１３は、任意の形態からなる第１の支持用腕部のみから構成されていても良い（任意選択構成要素）。ただし、この場合は図１乃至図４、図１０乃至図１２に記載されている第１の支持用腕部１３ａとは異なり、第１の支持用腕部１３ａにおいて鋼製梁２６の端部２６ａも直接又は間接的に支持できる形態に改変する必要がある。
そしてこの場合は、例えば図１２に示すようにデッキプレートを構成する角パイプ２１と鋼製梁２６とを交差させながら積層して配置する場合や、あるいは、図１１に示すようにデッキプレートを構成する角パイプ２１と鋼製梁２６とを互いに平行に配する場合に、鉛直上方側に配される角パイプ２１の端部２１ａを直接又は間接的に支持するための支持用腕部１３と、その鉛直下方側に配される鋼製梁２６の端部２６ａを直接又は間接的に支持するための支持用腕部１３と、を１種類の第１の支持用腕部により兼用することになる。
このように角パイプ２１の端部２１ａを支持するための支持用腕部１３と、鋼製梁２６の端部２６ａを支持するための支持用腕部１３とを兼用する場合は、支持対象が変わる度に支持用腕部１３を適切な位置に移動させる必要がある。このため、本実施形態に係るデッキプレート支持具１の操作性がやや低下するものの、デッキプレート支持具１自体の構造をシンプルにできるというメリットがある。
【００４４】
あるいは、本実施形態に係るデッキプレート支持具１における支持用腕部１３は、図２，図１０乃至図１２に示すように、所望の形態を有する第１の支持用腕部１３ａと、この第１の支持用腕部１３ａの直下に配され、やはり所望の形態を有する第２の支持用腕部１３ｂの２種類を備えていてもよい（任意選択構成要素）。
この場合、例えば図１２に示すように、Ｈ型鋼１９からなる構造材を枠状に配して、その中空部内にデッキプレートを構成する角パイプ２１と、この角パイプ２１と交差しながら配される鋼製梁２６を積層して配置する場合に、角パイプ２１の端部２１ａを第１の支持用腕部１３ａにおいて間接的に支持することができる。また、その鉛直下方側に配される鋼製梁２６の端部２６ａを、第２の支持用腕部１３ｂにおいて直接支持することができる。
この場合、支持用腕部１３を１種類のみとし、その取付位置を所望に変更して角パイプ２１と鋼製梁２６の両方を支持できるよう構成する場合に比べて、支持用腕部１３の位置決め作業を簡素化することができる。つまり、支持用腕部１３が第１の支持用腕部１３ａ及び第２の支持用腕部１３ｂを備える場合は、第１の支持用腕部１３ａを位置決めすることで、自動的に第２の支持用腕部１３ｂの位置決め作業を完了することができる。
したがって、支持用腕部１３が第１の支持用腕部１３ａ及び第２の支持用腕部１３ｂにより構成されるデッキプレート支持具１によれば、デッキプレートの設置作業を一層効率的に行うことができる。
【００４５】
なお、図１２では、１つの本実施形態に係るデッキプレート支持具１により、角パイプ２１の端部２１ａ又は鋼製梁２６の端部２６ａのいずれかを支持する場合を例に挙げて説明しているが、例えば図１１に示すように、１つの本実施形態に係るデッキプレート支持具１により角パイプ２１の端部２１ａと、鋼製梁２６の端部２６ａを同時に支持することもできる。
特に、後者の場合は、デッキプレートを構成する角パイプ２１と、それを支える鋼製梁２６とを互いに平行に、かつこれらを鉛直方向に積層させながら配置する場合である。この場合、例えばデッキプレート支持具１の取設対象であるＨ型鋼１９同士の間隔が開きすぎていて、角パイプ２１に対して鋼製梁２６を交差させた状態で配設することができない状況下でも、角パイプ２１と平行に鋼製梁２６を配置することで、角パイプ２１に作用する荷重を鋼製梁２６で支えることができる。
よって、本実施形態に係るデッキプレート支持具１によれば、支持用腕部１３が第１の支持用腕部１３ａ及び第２の支持用腕部１３ｂの２種類を備えていることで、角パイプ２１の配設方向に関わらず角パイプ２１の鉛直下方側に鋼製梁２６を配設することができる。このため、角パイプ２１に作用する荷重を常に鋼製梁２６で支えることができる。この結果、角パイプ２１を備えた再利用可能なデッキプレートを用いてコンクリート製の床面を形成する作業を一層安全に行うことができる。
【００４６】
さらに、本実施形態に係るデッキプレート支持具１では、図１１，１２に示すように、第１の支持用腕部１３ａ上に例えば角材２０を介して角パイプ２１の端部２１ａを載置して支持することができる。この場合、個々の角パイプ２１の端部２１ａをデッキプレート支持具１の支持用腕部１３（例えば、第１の支持用腕部１３ａ）により個別に支持する場合に比べて、デッキプレート支持具１の使用数を少なくすることができる。
なお、特に図示しないが、個々の角パイプ２１の端部２１ａをデッキプレート支持具１の支持用腕部１３（例えば、第１の支持用腕部１３ａ）により個別に支持することもできるが、この場合は、角パイプ２１の端部２１ａと同数のデッキプレート支持具１を準備する必要がある。
【００４７】
さらに、図１１，１２では、個々の鋼製梁２６の端部２６ａを、デッキプレート支持具１の第２の支持用腕部１３ｂにより個別に支持する場合を例に挙げて説明しているが、例えば図１１，１２中に示される角パイプ２１の支持形態と同様に、第２の支持用腕部１３ｂにおいても、例えば角材２０等を介して間接的に複数の鋼製梁２６の端部２６ａを支持することができる。ただし、この場合は、第２の支持用腕部１３ｂにおいて角材２０等を支持することができるようにするために、第２の支持用腕部１３ｂの形態を図示されるものとは異なる形態に改変する必要がある。
この場合、例えば１つのデッキプレート支持具１により角パイプ２１の端部２１ａ、及び、鋼製梁２６の端部２６ａの両者を同時に支持するのに要するデッキプレート支持具１の数を、角パイプ２１の端部２１ａの総数、又は、鋼製梁２６の端部２６ａの総数、よりも少なくすることができる。この結果、Ｈ型鋼１９に対してデッキプレート支持具１を着脱する作業を迅速かつ容易に行うことができる。
【００４８】
また、本実施形態に係るデッキプレート支持具１では、図１２に示すように、１つの第１の支持用腕部１３ａにより複数の角パイプ２１の端部２１ａが支持されている。あるいは、上述のように１つの第２の支持用腕部１３ｂにより複数の鋼製梁２６の端部２６ａを支持する場合も想定される。
したがって、位置調整部１７の操作時に支持用腕部１３が意図せず落下してしまうと極めて危険である。しかしながら、本実施形態に係るデッキプレート支持具１では、支持用腕部１３（第１の支持用腕部１３ａ及び第２の支持用腕部１３ｂ）の荷重を支える位置調整部１７が、第３の筒体３ｃ外側面上に螺設されている。このため、位置調整部１７の操作時に支持用腕部１３ａが支えを失って落下することはない。
よって、本実施形態に係るデッキプレート支持具１によれば、安全性に優れたデッキプレート支持具を提供することができる。
【００４９】
加えて、本実施形態に係るデッキプレート支持具１において支持用腕部１３は、その真下に補強板１４を備えていてもよい（任意選択構成要素）。より具体的には、支持用腕部１３（第１の支持用腕部１３ａ又は第２の支持用腕部１３ｂを形成する平板体）の下面に垂設され、かつ平板体からなる補強板１４を備えていてもよい。
この場合、支持用腕部１３（第１の支持用腕部１３ａ、又は、第１の支持用腕部１３ａ及び第２の支持用腕部１３ｂ）の荷重を補強板１４で支えることができるので、本実施形態に係る支持用腕部１３の強度を向上させることができる。
よって、補強板１４を備えた本実施形態に係るデッキプレート支持具１によれば、強度と耐久性に優れたデッキプレート支持具を提供することができる。
なお、本実施形態では、デッキプレートを構成する角パイプ２１とその下に配される鋼製梁２６が同じ形態である場合を例に挙げて説明しているが、角パイプ２１と鋼製梁２６の形態は異なっていてもよい。この場合、それぞれの形態に適した支持用腕部１３（第１の支持用腕部１３ａや第２の支持用腕部１３ｂ）を準備する必要がある。
【００５０】
ここで、本実施形態に係るデッキプレート支持具１の伸縮装置２の両端部に設けられている第１のストッパー８ａ及び第２のストッパー８ｂについて詳細に説明する。
先の図１，３，４に示すように、本実施形態に係るデッキプレート支持具１では第１のストッパー８ａを、例えば金属製の平板体を折曲してなる折曲板８ａ´により構成するとともに、第２のストッパー８ｂを例えば同じく金属製の平板体を折曲してなる挟持板８ｂ´により構成してもよい（任意選択構成要素）。
この場合、Ｈ型鋼１９に本実施形態に係る伸縮装置２を取設する際に、挟持板８ｂ´でＨ型鋼１９の下フランジ１９ｂを挟持することができる。この結果、伸縮装置２の動力伝達軸５を操作して第１のストッパー８ａ（折曲板８ａ´）を上フランジ１９ａに到達させるまでの間、伸縮装置２を人手で保持しておく必要がなくなる。
さらに、第１のストッパー８ａが折曲板８ａ´により構成されていることで、伸縮装置２のスライド端部２ａ（ここでは折曲板８ａ´）がＨ型鋼１９の上フランジ１９ａに到達すると同時に、Ｈ型鋼１９への伸縮装置２の設置作業を完了することができる。
また、Ｈ型鋼１９から本実施形態に係る伸縮装置２を取り外す場合も同様に、動力伝達軸５の操作時に伸縮装置２を人手で保持しておく必要がないので、その作業を簡便化することができる。
したがって、本実施形態に係る伸縮装置２が折曲板８ａ´及び挟持板８ｂ´を備えていることで、Ｈ型鋼１９へのデッキプレート支持具１の着脱作業を大幅に簡便化することができる。
【００５１】
さらに、本実施形態に係るデッキプレート支持具１における第１のストッパー８ａ及び第２のストッパー８ｂは、先の図１，３，４，７に示すように、第１のストッパー８ａ、第２のストッパー８ｂのそれぞれに穿設される貫通孔１０と、この貫通孔１０から出没自在に螺設されるボルト１１、及び、このボルト１１を所望の位置で固定しておくためのナット１２を備えていてもよい（いずれも任意選択構成要素）。
この場合、図３及び図４に示すように、本実施形態に係るデッキプレート支持具１の伸縮装置２を、その取設対象である例えばＨ型鋼１９に取り付ける際に、Ｈ型鋼１９の上フランジ１９ａ，下フランジ１９ｂのそれぞれに係止された第１のストッパー８ａ，第２のストッパー８ｂのそれぞれからボルト１１の頭部を導出させてその先端で上フランジ１９ａ，下フランジ１９ｂを押圧して、その状態でナット１２によりボルト１１を固定すればよい。
この場合、先の図３，４に示すように、Ｈ型鋼１９の空隙１９ｃに伸縮装置２をしっかりと固定しておくことができる。このため、本実施形態に係るデッキプレート支持具１の使用時に、Ｈ型鋼１９からデッキプレート支持具１が意図せず外れてしまうことで、デッキプレートを構成する角パイプ２１やこの角パイプ２１を支える鋼製梁２６が意図せず落下するリスクを大幅に低減することができる。
したがって、本実施形態に係るデッキプレート支持具１の第１のストッパー８ａ及び第２のストッパー８ｂが上述のようなボルト１１及びナット１２を備えていることで、デッキプレート支持具１の使用時の安全性を大幅に向上させることができる。
【００５２】
また、本実施形態に係るデッキプレート支持具１において、特に第２のストッパー８ｂである挟持板８ｂ´がボルト１１及びナット１２を備えていることで、Ｈ型鋼１９に対して伸縮装置２を取り付ける際に、下フランジ１９ｂに挟持板８ｂ´をしっかりと固定しておくことができる。この結果、作業者が伸縮装置２から完全に手を離した状態で伸縮装置２の伸縮動作を行うことができる。よって、Ｈ型鋼１９に対するデッキプレート支持具１の着脱作業を一層簡素化することができる。
したがって、本実施形態に係るデッキプレート支持具１によれば、挟持板８ｂ´がボルト１１及びナット１２を備えていない場合に比べて、その操作性を大幅に向上させることができる。
【００５３】
加えて、本実施形態に係るデッキプレート支持具１における挟持板８ｂ´は、先の図１，３，４及び図５に示すように、その変形を防止するための補強部材９ａや補強部材９ｂを備えていてもよい（任意選択構成要素）。
この場合、挟持板８ｂ´の強度を向上させることができる。この結果、強度と耐久性に優れたデッキプレート支持具１を提供することができる。
なお、挟持板８ｂ´における下フランジ１９ｂとの接触面に平板状の補強部材９ａを付加するだけでも十分な補強効果が期待できる。これに加えて、挟持板８ｂ´の立体形状を保持するための補強部材９ｂを付加することで、挟持板８ｂ´の剛性と強度を一層向上させることができる。
【００５４】
最後に、図１３を参照しながら本実施形態に係るデッキプレート支持具１の変形例について説明する。
図１３は本発明の実施形態の変形例に係る支持具の断面イメージ図である。なお、図１乃至図１２に記載されたものと同一部分については同一符号を付し、その構成についての説明は省略する。
上述のような本実施形態に係るデッキプレート支持具１は、例えば伸縮装置２を最長にした時の長さを所望に変更するとともに、必要に応じて第１のストッパー８ａ及び／又は第２のストッパー８ｂの形態を所望に変更し、さらに必要に応じて支持用腕部１３の形態を所望に変更することで、デッキプレート以外の任意の支持対象物を支持するための支持具１Ａとして使用することができる。
このような支持具１Ａは、例えば、建築現場等においては、Ｈ型鋼１９からなる梁同士の間に支持具１Ａにおける伸縮装置２を架け渡して、建築資材や足場を一時的に保持しておくための仮固定具として使用することができる。
【００５５】
なお、先に述べた本実施形態に係るデッキプレート支持具１では、非収容領域Ｂ及び支持用腕部１３（先の図７〜９を参照）を、第３の筒体３ｃにのみ設ける場合を例に挙げて説明しているが、非収容領域Ｂ及び支持用腕部１３は、図１３に示すように、第１の筒体３ａ〜第３の筒体３ｃのそれぞれに単数又は複数組設けてもよい（任意選択構成要素）。なお、図３ではその一例として各筒体（第１の筒体３ａ〜第３の筒体３ｃ）に非収容領域（非収容領域Ｂ１〜Ｂ３）及び支持用腕部１３を一組ずつ備える場合を示している。あるいは、非収容領域Ｂ及び支持用腕部１３は、多重筒体３を構成する任意の１以上の筒体に設けてもよい（図示せず、任意選択構成要素）。
上記構成の本発明の変形例に係る支持具１Ａによれば、例えば室内空間において、床面と天井（例えば、梁材）の間に１対の支持具１Ａを設置し、さらにこれら１対の支持具１Ａにおいて同じ鉛直方向高さに設けられている支持用腕部１３に、例えば棚板や棒体を架設又は固設することで、着脱式の棚やハンガーラックとして使用することができる。
よって、本実施形態の変形例に係る支持具１Ａによれば、新規な建築設備や家具として使用可能な汎用性の高い支持具を提供することができる。
【００５６】
また、本実施の形態に係る伸縮装置２は図１乃至図１３に示される形態に特定される必要はなく、これらの図面に示される形態以外のものを採用することができる。より具体的には、本実施形態に係るデッキプレート支持具１は、その伸縮装置２として、少なくとも２つ以上の筒体が入れ子状に収容されてなる多重筒体と、この多重筒体を構成する個々の筒体を供回りさせることなくその中心軸方向に伸縮させる動力伝達軸を備えてなるスクリュージャッキ構造であればどのようなものでも使用できる。
また、多重筒体３の供回りを防止するための具体的な構造としては、例えば本願の各図に示されるように、多重筒体３を構成する各筒体を角筒とし、その最外に配置される角筒の回転動作を規制する、あるいは、多重筒体３を構成する各筒体同士をその中心軸方向にスライド可能に嵌合又は係合させてその供回りを防止する等、従来公知の様々な構造を適宜採用することができる。
【産業上の利用可能性】
【００５７】
以上説明したように本発明は、主にスラブ施工方法において用いられる再利用可能なデッキプレートや、それ以外の任意の支持対象物を支持することができる支持具及びそれを用いてなるデッキプレート支持具であり、建築、家具及びインテリア等に関する技術分野において利用可能である。
【符号の説明】
【００５８】
１Ａ…支持具  １…デッキプレート支持具  ２…伸縮装置  ２ａ…スライド端部  ２ｂ…固定端部  ３…多重筒体  ３ａ…第１の筒体  ３ｂ…第２の筒体  ３ｃ…第３の筒体  ３ｃ１〜３ｃ４…筒体  ４…フランジ  ５…動力伝達軸  ５ａ…ウォームホイール  ５ｂ…軸保定パーツ  ５ｃ…ネジ部  ６ａ…ケーシング  ６ｂ１…ケーシング  ６ｂ２…蓋体  ７…ウォームギア  ７ａ…軸保定パーツ  ７ｂ…接続部  ８ａ…第１のストッパー  ８ａ´…折曲板  ８ｂ…第２のストッパー  ８ｂ´…挟持板  ９ａ…補強部材  ９ｂ…補強部材  １０…貫通孔  １１…ボルト  １２…ナット  １３…支持用腕部  １３ａ…第１の支持用腕部  １３ｂ…第２の支持用腕部  １４…補強板  １５…支持用腕部保持部  １６…環状部  １７…位置調整部  １８…操作レバー  １９…Ｈ型鋼  １９ａ…上フランジ  １９ｂ…下フランジ  １９ｃ…空隙  ２０…角材  ２１…角パイプ  ２１ａ…端部  ２２…ネジ部  ２３…ピン  ２４ａ…突起  ２４ｂ…掛止用ツメ  ２５…ネジ部  ２６…鋼製梁  ２６ａ…端部  Ｂ，Ｂ１〜Ｂ３…非収容領域
【図１】
2020189739.tif 000003
【図２】
2020189739.tif 000004
【図３】
2020189739.tif 000005
【図４】
2020189739.tif 000006
【図５】
2020189739.tif 000007
【図６】
2020189739.tif 000008
【図７】
2020189739.tif 000009
【図８】
2020189739.tif 000010
【図９】
2020189739.tif 000011
【図１０】
2020189739.tif 000012
【図１１】
2020189739.tif 000013
【図１２】
2020189739.tif 000014
【図１３】
2020189739.tif 000015